(57)【要約】  本発明のマイクログリッドシステム１００は、電力を出力する発電装置１１１と、電力を消費する需要家１１２とを含む複数のサブマイクログリッド１１０と、複数のサブマイクログリッド１１０と接続され、電力を蓄積する複数のエネルギー蓄積装置１２１を備える共有部１２０と、発電装置１１１から出力された電力をエネルギー蓄積装置１２１に蓄積させる場合、複数のエネルギー蓄積装置１２１それぞれの状態に応じて、発電装置１１１から出力された電力の蓄積先のエネルギー蓄積装置１２１を決定し、需要家１１２に電力を供給する場合、複数のエネルギー蓄積装置１２１それぞれの状態に応じて、需要家１１２に電力を供給する供給元のエネルギー蓄積装置１２１を決定する制御装置１３０と、を有する。
2015129301.tif 000002
【特許請求の範囲】
【請求項１】
電力を出力する発電装置と、電力を消費する需要家とを含む複数のサブマイクログリッドと、
前記複数のサブマイクログリッドのそれぞれと接続され、電力を蓄積する複数のエネルギー蓄積装置を備える共有部と、
前記発電装置から出力された電力を前記エネルギー蓄積装置に蓄積させる場合、前記複数のエネルギー蓄積装置それぞれの状態に応じて、前記発電装置から出力された電力の蓄積先のエネルギー蓄積装置を決定し、前記需要家に電力を供給する場合、前記複数のエネルギー蓄積装置それぞれの状態に応じて、前記需要家に電力を供給する供給元のエネルギー蓄積装置を決定する制御装置と、を有することを特徴とするマイクログリッドシステム。
【請求項２】
請求項１記載のマイクログリッドシステムにおいて、
前記エネルギー蓄積装置は、前記複数のサブマイクログリッドそれぞれに対応して設けられ、
前記制御装置は、前記発電装置の電力を蓄積する場合、該発電装置を含む前記サブマイクログリッドに対応する前記エネルギー蓄積装置に前記発電装置の電力を蓄積させ、前記エネルギー蓄積装置の充電が完了すると、他のエネルギー蓄積装置に前記発電装置の電力を蓄積させることを特徴とするマイクログリッドシステム。
【請求項３】
請求項２記載のマイクログリッドシステムにおいて、
前記制御装置は、前記発電装置の電力を蓄積する場合、該発電装置を含む前記サブマイクログリッドに対応する前記エネルギー蓄積装置が放電中でなければ、該エネルギー蓄積装置に前記発電装置の電力を蓄積させ、前記エネルギー蓄積装置が放電中であれば、他のエネルギー蓄積装置に前記発電装置の電力を蓄積させることを特徴とするマイクログリッドシステム。
【請求項４】
請求項２または３記載のマイクログリッドシステムにおいて、
前記制御装置は、前記需要家に電力を供給する場合、該需要家を含む前記サブマイクログリッドに対応する前記エネルギー蓄積装置から前記需要家に電力を供給させ、前記エネルギー蓄積装置の充電レベルが所定の閾値以下になると、他のエネルギー蓄積装置から前記需要家に電力を供給させることを特徴とするマイクログリッドシステム。
【請求項５】
請求項４記載のマイクログリッドシステムにおいて、
前記制御装置は、前記需要家に電力を供給する場合、該需要家を含む前記サブマイクログリッドに対応する前記エネルギー蓄積装置が放電中でなければ、該エネルギー蓄積装置から前記需要家に電力を供給させ、前記エネルギー蓄積装置が放電中であれば、他のエネルギー蓄積装置から前記需要家に電力を供給させることを特徴とするマイクログリッドシステム。
【請求項６】
請求項１記載のマイクログリッドシステムにおいて、
前記制御装置は、前記発電装置から出力された電力を前記エネルギー蓄積装置に蓄積させる場合、前記複数のエネルギー蓄積装置のうち、充放電しておらず、かつ、充電レベルが小さいエネルギー蓄積装置から順に、前記発電装置の電力を蓄積させることを特徴とするマイクログリッドシステム。
【請求項７】
請求項６記載のマイクログリッドシステムにおいて、
前記制御装置は、前記需要家に電力を供給する場合、前記複数のエネルギー蓄積装置のうち、充放電しておらず、かつ、充電レベルが大きいエネルギー蓄積装置から順に、前記需要家に電力を供給させることを特徴とするマイクログリッドシステム。
【請求項８】
電力を出力する発電装置を有するマイクログリッドシステムの制御方法であって、
前記マイクログリッドシステムには、電力を出力する発電装置と、電力を消費する需要家とを含む複数のサブマイクログリッドと、前記複数のサブマイクログリッドのそれぞれと接続され、電力を蓄積する複数のエネルギー蓄積装置を備える共有部とが設けられ、
前記発電装置から出力された電力を蓄積する場合、前記複数のエネルギー蓄積装置それぞれの状態に応じて、前記発電装置から出力された電力の蓄積先のエネルギー蓄積装置を決定し、
前記需要家に電力を供給する場合、前記複数のエネルギー蓄積装置それぞれの状態に応じて、前記需要家に電力を供給する供給元のエネルギー蓄積装置を決定することを特徴とする制御方法。
【請求項９】
請求項８記載の制御方法において、
前記複数のサブマイクログリッドそれぞれに対応して、前記エネルギー蓄積装置が設けられ、
前記発電装置の電力を蓄積する場合、該発電装置を含む前記サブマイクログリッドに対応する前記エネルギー蓄積装置に前記発電装置の電力を蓄積させ、前記エネルギー蓄積装置の充電が完了すると、他のエネルギー蓄積装置に前記発電装置の電力を蓄積させることを特徴とする制御方法。
【請求項１０】
請求項８記載の制御方法において、
前記発電装置から出力された電力を前記エネルギー蓄積装置に蓄積させる場合、前記複数のエネルギー蓄積装置のうち、充放電しておらず、かつ、充電レベルが小さいエネルギー蓄積装置から順に、前記発電装置の電力を蓄積させることを特徴とする制御方法。
【発明の詳細な説明】
【技術分野】
【０００１】
本発明は、マイクログリッドシステムおよびその制御方法に関する。
【背景技術】
【０００２】
近年、マイクログリッドシステムと称される小規模な電力系統システムが注目されている。マイクログリッドシステムでは、エネルギー源である発電装置と電力を消費する需要家（工場、学校、住宅、店舗など）とが商用電力系統とは別の電力系統で接続されている。【０００３】
マイクログリッドシステムでは、需要に応じて、電力の供給の制御を行なうことで、システム内のリソースを最大限に活用し、安定的で安価な電力の供給が図られる。例えば、システム内の需要家で消費される電力を可能な限りシステム内の発電装置から供給し、不足分の電力だけを一般の商用電力系統から購入することで、安定的で安価な電力供給が可能となる。【０００４】
マイクログリッドシステムにおける発電装置としては、太陽光、風力、バイオマスエネルギーなどの再生可能エネルギーを利用したものが用いられることが多い。そのため、発電装置からの電力供給が不安定になることがある。【０００５】
そこで、特許文献１（特開２０１２−０５５０８７号公報）には、所定のエリア内の各電力消費源での電力消費量および各電力供給源の電力供給量の環境変動などの情報に基づいて、電力供給源から電力消費源への電力の分配を制御する技術が開示されている。この技術によれば、環境変動などの情報に基づいて、電力供給源から電力消費源への電力の分配を制御することで、電力の供給の安定化を図ることができる。【０００６】
また、特許文献２（特開２０１３−１１０７９９号公報）には、マイクログリッドシステムに、蓄電池などのエネルギー蓄積装置を設ける技術が開示されている。この技術によれば、マイクログリッドシステム内の発電装置（太陽光パネル）から出力された電力を蓄電池に蓄積しておき、必要に応じて、蓄電池に蓄積された電力を需要家に供給することで、電力供給の安定化が図られている。
【先行技術文献】
【特許文献】
【０００７】
【特許文献１】特開２０１２−０５５０８７号公報
【特許文献２】特開２０１３−１１０７９９号公報
【発明の概要】
【発明が解決しようとする課題】
【０００８】
上述したように、マイクログリッドシステムにおける発電装置としては、再生可能エネルギーを利用したものが用いられることが多い。そのため、環境などによっては、電力供給源からの電力供給量が、電力消費源での電力消費量を上回り、余剰電力が生じることがある。【０００９】
特許文献１に開示されている技術では、余剰電力が生じた場合の処理については十分に考慮されておらず、電力供給源から出力された電力が無駄になることがある。【００１０】
特許文献２に開示されている技術では、余剰電力が生じた場合には、その余剰電力をエネルギー蓄積装置に蓄積しておくことで、電力の無駄が生じることを防ぐことができる。【００１１】
図１は、一般的な蓄電池の充放電特性を示す図である。図１においては、初期時（ｔ０）から時間ｔ１だけ放電を行い、その後、充電を行なった場合の充放電特性を示している。また、図２は、蓄電池の充電状態（ＳＯＣ：Ｓｔａｔｅ  Ｏｆ  Ｃｈａｒｇｅ）と出力電圧との関係を示す図である。【００１２】
図１に示すように、蓄電池の出力電圧は、放電開始後、初期電圧（４．２Ｖ）から徐々に低下し、所定の電圧（図１においては、３．４Ｖ）以下になると、急激に低下する。また、図２に示すように、蓄電池の出力電圧が所定の電圧（３．４Ｖ）以下の状態では、ＳＯＣは２０％以下となっている。一般に、蓄電池の長寿命化のためには、ＳＯＣが２０％以下になると、蓄電池の放電を停止し、充電することが望ましい。【００１３】
特許文献２に開示されている技術では、マイクログリッドシステム内に、発電装置とその発電装置から出力された電力を蓄積するエネルギー蓄積装置とが１対１で対応して設けられている。そのため、特許文献２に開示されている技術では、エネルギー蓄積装置の蓄電池のＳＯＣが低下すると、出力電圧の変動が大きくなったり、蓄電池を充電するために、電力供給が停止されたりして、電力を安定して供給することが困難となる。また、蓄電池の充電が完了すると、その後は、発電装置の余剰電力を蓄積することができず、発電装置から出力された電力が無駄になることがある。【００１４】
蓄電池の蓄電容量を大きくし、マイクログリッドシステム内の需要家での電力消費に十分に対応できるだけの電力を蓄電池で充電できるようにすることも考えられる。しかし、一般に、蓄電池のコストと蓄電容量とは比例せず、蓄電容量が大きくなるほど、単位蓄積容量当たりのコストが高くなる。そのため、上述したような蓄電容量の大きな蓄電池を設けることは、コスト増を招いてしまう。【００１５】
本発明の目的は、コストの増加の抑制、電力の無駄の削減、および、安定的な電力の供給を図ることができるマイクログリッドシステムシステムおよびその制御方法を提供することにある。
【課題を解決するための手段】
【００１６】
上記目的を達成するために本発明のマイクログリッドシステムは、
電力を出力する発電装置と、電力を消費する需要家とを含む複数のサブマイクログリッドと、
前記複数のサブマイクログリッドのそれぞれと接続され、電力を蓄積する複数のエネルギー蓄積装置を備える共有部と、
前記発電装置から出力された電力を前記エネルギー蓄積装置に蓄積させる場合、前記複数のエネルギー蓄積装置それぞれの状態に応じて、前記発電装置から出力された電力の蓄積先のエネルギー蓄積装置を決定し、前記需要家に電力を供給する場合、前記複数のエネルギー蓄積装置それぞれの状態に応じて、前記需要家に電力を供給する供給元のエネルギー蓄積装置を決定する制御装置と、を有する。【００１７】
上記目的を達成するために本発明のマイクログリッドシステムの制御方法は、
電力を出力する発電装置を有するマイクログリッドシステムの制御方法であって、
前記マイクログリッドシステムには、電力を出力する発電装置と、電力を消費する需要家とを含む複数のサブマイクログリッドと、前記複数のサブマイクログリッドのそれぞれと接続され、電力を蓄積する複数のエネルギー蓄積装置を備える共有部とが設けられ、
前記発電装置から出力された電力を蓄積する場合、前記複数のエネルギー蓄積装置それぞれの状態に応じて、前記発電装置から出力された電力の蓄積先のエネルギー蓄積装置を決定し、
前記需要家に電力を供給する場合、前記複数のエネルギー蓄積装置それぞれの状態に応じて、前記需要家に電力を供給する供給元のエネルギー蓄積装置を決定する。
【発明の効果】
【００１８】
本発明によれば、コストの増加の抑制、電力の無駄の削減、および、安定的な電力の供給を図ることができる。
【図面の簡単な説明】
【００１９】
【図１】一般的な蓄電池の充放電特性を示す図である。
【図２】一般的な蓄電池の充電状態と出力電圧との関係を示す図である。
【図３】本発明の第１の実施形態のマイクログリッドシステムの要部構成を示す図である。
【図４】本発明の第２の実施形態のマイクログリッドシステムの要部構成を示す図である。
【図５】図４に示すマイクログリッドシステムの、ＤＥＲ２１１−１の余剰電力をＥＳＤに蓄積する場合の動作を示すフローチャートである。
【図６】図４に示すマイクログリッドシステムの、ＤＥＲ２１１−２の余剰電力をＥＳＤに蓄積する場合の動作を示すフローチャートである。
【図７】図４に示すマイクログリッドシステムの、ＬＯＡＤ２１２−１に電力を供給する場合の動作を示すフローチャートである。
【図８】図４に示すマイクログリッドシステムの、ＬＯＡＤ２１２−２に電力を供給する場合の動作を示すフローチャートである。
【図９】本発明の第３の実施形態のマイクログリッドシステムの要部構成を示す図である。
【図１０】図９に示すマイクログリッドシステムの、ＤＥＲの余剰電力をＥＳＤに蓄積する場合の動作を示すフローチャートである。
【図１１】図９に示すマイクログリッドシステムの、ＬＯＡＤに電力を供給する場合の動作を示すフローチャートである。
【発明を実施するための形態】
【００２０】
以下に、本発明を実施するための形態について図面を参照して説明する。
【００２１】
（第１の実施形態）
図３は、本発明の第１の実施形態のマイクログリッドシステム１００の要部構成を示す図である。
【００２２】
図３に示すマイクログリッドシステム１００は、サブマイクログリッド１１０（１１０−１，１１０−２）と、共有部１２０と、制御装置１３０と、を有する。
【００２３】
サブマイクログリッドシステム１１０−１は、発電装置１１１−１と需要家１１２−１とを含む。
【００２４】
サブマイクログリッドシステム１１０−２は、発電装置１１１−２と需要家１１２−２とを含む。
【００２５】
供給部１２０は、サブマイクログリッドシステム１１０−１，１１０−２それぞれと接続され、複数のエネルギー蓄積装置１２１（１２１−１，１２１−２）を備える。
【００２６】
発電装置１１１−１，１１１−２は、電力を出力する。
【００２７】
エネルギー蓄積装置１２１−１，１２１−２は、電力を蓄積する。
【００２８】
需要家１１２は、電力を消費する。
【００２９】
制御装置１３０は、発電装置１１１、および、エネルギー蓄積装置１２１−１，１２１−２を制御する。
【００３０】
次に、マイクログリッドシステム１００の動作について説明する。
【００３１】
制御装置１３０は、発電装置１１１から出力された電力をエネルギー蓄積装置１２１に蓄積する場合、エネルギー蓄積装置１２１−１，１２１−２それぞれの状態に応じて、発電装置１１１から出力された電力を蓄積する蓄積先のエネルギー蓄積装置１２１を決定する。また、制御装置１３０は、需要家１１２に電力を供給する場合、エネルギー蓄積装置１２１−１，１２１−２それぞれの状態に応じて、需要家１１２に電力を供給する供給元のエネルギー蓄積装置を決定する。
【００３２】
このように、本実施形態のマイクログリッドシステム１００は、エネルギー蓄積装置１２１−１，１２１−２の状態に応じて、発電装置１１１から出力された電力の蓄積先のエネルギー蓄積装置、および、需要家１１２への電力の供給元のエネルギー蓄積装置を決定する制御装置１３０を有する。
【００３３】
エネルギー蓄積装置１２１−１，１２１−２の状態に応じて、発電装置１１１から出力された電力の蓄積先のエネルギー装置を決定することで、蓄積の余力があるエネルギー装置に電力を蓄積することができるので、電力の無駄の削減を図ることができる。
【００３４】
また、エネルギー蓄積装置１２１−１，１２１−２の状態に応じて、需要家１１２への電力の供給元のエネルギー蓄積装置１２１を決定することで、ＳＯＣが低いエネルギー蓄積装置１２１から需要家１１２に電力が供給されることが無くなる。そのため、需要家１１２に電力を安定して供給することができる。また、ＳＯＣが低いエネルギー蓄積装置１２１からの電力の供給が継続されることがなくなるので、エネルギー蓄積装置１２１の長寿命化を図ることができる。
【００３５】
また、複数のエネルギー蓄積装置１２１を設けることで、蓄積容量の大きな１つのエネルギー蓄積装置を設ける場合と比較して、単位蓄積容量当たりのコストを低減し、コストの増加を抑制することができる。
【００３６】
（第２の実施形態）
図４は、本発明の第２の実施形態のマイクログリッドシステム２００の要部構成を示す図である。
【００３７】
図４に示すマイクログリッドシステム２００は、サブマイクログリッド２１０（２１０−１，２１０−２）と、共有部２２０と、制御装置２３０と、を有する。
【００３８】
サブマイクログリッド２１０−１は、分散エネルギー源（ＤＥＲ：Ｄｉｓｔｒｉｂｕｔｅｄ  Ｅｎｅｒｇｙ  Ｒｅｓｏｕｒｃｅ）２１１−１と、需要家（ＬＯＡＤ）２１２−１とを含む。
【００３９】
サブマイクログリッド２１０−２は、ＤＥＲ２１１−２と、ＬＯＡＤ２１２−２とを含む。
【００４０】
共有部２２０は、サブマイクログリッド２１０−１，２１０−２それぞれと接続され、複数のエネルギー蓄積装置（ＥＳＤ：Ｅｎｅｒｇｙ  Ｓｔｏｒａｇｅ  Ｄｅｖｉｃｅ）２２１（２２１−１，２２１−２）を備える。
【００４１】
ＤＥＲ２１１−１，２１１−２は、例えば、太陽光、風力、バイオマスエネルギーなどの再生可能エネルギーを電力に変換して出力する発電装置である。
【００４２】
ＥＳＤ２２１−１，２２１−２は、ＤＥＲ２１１−１，２１１−２から出力された電力を蓄積するエネルギー蓄積装置である。
【００４３】
このように、マイクログリッドシステム２００においては、共有部２２０は、サブマイクログリッド２１０と同数のＥＳＤ２２１を有している。すなわち、マイクログリッドシステム２００においては、各サブマイクログリッド２１０に対応して、ＥＳＤ２２１が設けられている。以下では、サブマイクログリッド２１０−１（ＤＥＲ２１１−１，ＬＯＡＤ２１２−１）に対応して、ＥＳＤ２２１−１が設けられているものとする。また。サブマイクログリッド２１０−２（ＤＥＲ２１１−２，ＬＯＡＤ２１２−２）に対応して、ＥＳＤ２２１−２が設けられているものとする。
【００４４】
ＬＯＡＤ２１２−１は、ＤＥＲ２１１−１から出力された電力、あるいは、ＥＳＤ２２１−１，２２１−２に蓄積された電力を消費する。
【００４５】
ＬＯＡＤ２１２−２は、ＤＥＲ２１１−２から出力された電力、あるいは、ＥＳＤ２２１−１，２２１−２に蓄積された電力を消費する。
【００４６】
制御装置２３０は、ＤＥＲ２１１およびＥＳＤ２２１を制御する。
【００４７】
次に、マイクログリッドシステム２００の動作について説明する。
【００４８】
まず、ＤＥＲ２１１−１の余剰電力をＥＳＤ２２１に蓄積する場合の動作について、図５に示すフローチャートを参照して説明する。
【００４９】
制御装置２３０は、システム内の電力の需給状態を監視しており、ＤＥＲ２１１−１の出力に余剰電力があると判定すると、その余剰電力をＥＳＤ２２１に蓄積させる。
【００５０】
まず、制御装置２３０は、ＤＥＲ２１１−１に対応するＥＳＤ２２１−１は放電中であるか否かを判定する（ステップＳ１０１）。
【００５１】
ＥＳＤ２２１−１は放電中でないと判定した場合には（ステップＳ１０１：Ｎｏ）、制御装置２３０は、ＥＳＤ２２１−１の充電レベルを示すＳＯＣは１００％未満であるか否かを判定する（ステップＳ１０２）。
【００５２】
ＥＳＤ２２１−１のＳＯＣは１００％未満であると判定した場合には（ステップＳ１０２：Ｙｅｓ）、制御装置２３０は、ＤＥＲ２１１−１の余剰電力をＥＳＤ２２１−１に蓄積させる（ＥＳＤ２２１−１を充電する）（ステップＳ１０３）。
【００５３】
次に、制御装置２３０は、例えば、所定時間経過後に、ＥＳＤ２２１−１のＳＯＣは１００％であるか否かを判定する（ステップＳ１０４）。
【００５４】
ＥＳＤ２２１−１のＳＯＣは１００％でないと判定した場合には（ステップＳ１０４：Ｎｏ）、制御装置２３０は、ステップＳ１０３の処理に戻る。
【００５５】
ＥＳＤ２２１−１のＳＯＣは１００％であると判定した場合には（ステップＳ１０４：Ｙｅｓ）、制御装置２３０は、ＥＳＤ２２１−１の充電は完了したと判定し、ＤＥＲ２１１−１の余剰電力があるか（残っているか）否かを判定する（ステップＳ１０５）。
【００５６】
ＤＥＲ２１１−１の余剰電力が無いと判定した場合には（ステップＳ１０５：Ｎｏ）、制御装置２３０は、処理を終了する。
【００５７】
ＤＥＲ２１１−１の余剰電力があると判定した場合には（ステップＳ１０５：Ｙｅｓ）、制御装置２３０は、ＥＳＤ２２１−２は放電中であるか否かを判定する（ステップＳ１０６）。
【００５８】
ＥＳＤ２２１−２は放電中であると判定した場合には（ステップＳ１０６：Ｙｅｓ）、制御装置２３０は、処理を終了する。
【００５９】
ＥＳＤ２２１−２は放電中でないと判定した場合には（ステップＳ１０６：Ｎｏ）、制御装置２３０は、ＥＳＤ２２１−２のＳＯＣは１００％未満であるか否かを判定する（ステップＳ１０７）。
【００６０】
ＥＳＤ２２１−２のＳＯＣは１００％未満でない、すなわち、ＥＳＤ２２１−２のＳＯＣは１００％であると判定した場合には（ステップＳ１０７：Ｎｏ）、制御装置２３０は、処理を終了する。
【００６１】
ＥＳＤ２２１−２のＳＯＣは１００％未満であると判定した場合には（ステップＳ１０７：Ｙｅｓ）、制御装置２３０は、ＤＥＲ２１１−１の余剰電力をＥＳＤ２２１−２に蓄積させる（ＥＳＤ２２１−２を充電する）（ステップＳ１０８）。
【００６２】
次に、制御装置２３０は、例えば、所定時間経過後に、ＥＳＤ２２１−２のＳＯＣは１００％であるか否かを判定する（ステップＳ１０９）。
【００６３】
ＥＳＤ２２１−２のＳＯＣは１００％でないと判定した場合には（ステップＳ１０９：Ｎｏ）、制御装置２３０は、ステップＳ１０８の処理に戻る。
【００６４】
ＥＳＤ２２１−２のＳＯＣは１００％であると判定した場合には（ステップＳ１０９：Ｙｅｓ）、制御装置２３０は、ＥＳＤ２２１−２の充電は完了したと判定し、ＤＥＲ２１１−１の余剰電力があるか（残っているか）否かを判定する（ステップＳ１１０）。
【００６５】
ＤＥＲ２１１−１の余剰電力が無いと判定した場合には（ステップＳ１１０：Ｎｏ）、制御装置２３０は、処理を終了する。
【００６６】
ＤＥＲ２１１−１の余剰電力があると判定した場合には（ステップＳ１１０：Ｙｅｓ）、制御装置２３０は、ステップＳ１０１の処理に戻る。
【００６７】
また、制御装置２３０は、ＥＳＤ２２１−１は放電中であると判定した場合には（ステップＳ１０１：Ｙｅｓ）、ステップＳ１０６の処理に進む。また、制御装置２３０は、ＥＳＤ２２１−１のＳＯＣは１００％未満でない、すなわち、ＥＳＤ２２１−１のＳＯＣは１００％であると判定した場合（ステップＳ１０２：Ｎｏ）には、ステップＳ１０６の処理に進む。
【００６８】
このように、制御装置２３０は、ＤＥＲ２１１−１の余剰電力をＥＳＤ２２１に蓄積させる場合、ＤＥＲ２１１−１に対応するＥＳＤ２２１−１を優先的に充電する。そして、制御装置２３０は、ＥＳＤ２２１−１が放電中である場合、ＥＳＤ２２１−１のＳＯＣが１００％である場合、ＥＳＤ２２１−１の充電が完了し、ＤＥＲ２１１−１にさらに余剰電力がある場合には、他のＥＳＤ２２１を充電する。
【００６９】
そのため、ＤＥＲ２１１−１の余剰電力を無駄なくＥＳＤ２２１に蓄積させることができる。
【００７０】
次に、ＤＥＲ２１１−２の余剰電力をＥＳＤ２２１に蓄積する場合の動作について、図６に示すフローチャートを参照して説明する。
【００７１】
制御装置２３０は、システム内の電力の需給状態を監視しており、ＤＥＲ２１１−２の出力に余剰電力があると判定すると、その余剰電力をＥＳＤ２２１に蓄積させる。
【００７２】
まず、制御装置２３０は、ＤＥＲ２１２−１に対応するＥＳＤ２２１−２は放電中であるか否かを判定する（ステップＳ２０１）。
【００７３】
ＥＳＤ２２１−２は放電中でないと判定した場合には（ステップＳ２０１：Ｎｏ）、制御装置２３０は、ＥＳＤ２２１−２の充電レベルを示すＳＯＣは１００％未満であるか否かを判定する（ステップＳ２０２）。
【００７４】
ＥＳＤ２２１−２のＳＯＣは１００％未満であると判定した場合には（ステップＳ２０２：Ｙｅｓ）、制御装置２３０は、ＤＥＲ２１１−２の余剰電力をＥＳＤ２２１−１に蓄積させる（ＥＳＤ２２１−１を充電する）（ステップＳ２０３）。
【００７５】
次に、制御装置２３０は、例えば、所定時間経過後に、ＥＳＤ２２１−２のＳＯＣは１００％であるか否かを判定する（ステップＳ２０４）。
【００７６】
ＥＳＤ２２１−２のＳＯＣは１００％でないと判定した場合には（ステップＳ２０４：Ｎｏ）、制御装置２３０は、ステップＳ２０３の処理に戻る。
【００７７】
ＥＳＤ２２１−２のＳＯＣは１００％であると判定した場合には（ステップＳ２０４：Ｙｅｓ）、制御装置２３０は、ＥＳＤ２２１−２の充電は完了したと判定し、ＤＥＲ２１１−２の余剰電力があるか（残っているか）否かを判定する（ステップＳ２０５）。
【００７８】
ＤＥＲ２１１−２の余剰電力が無いと判定した場合には（ステップＳ２０５：Ｎｏ）、制御装置２３０は、処理を終了する。
【００７９】
ＤＥＲ２１１−２の余剰電力があると判定した場合には（ステップＳ２０５：Ｙｅｓ）、制御装置２３０は、ＥＳＤ２２１−１は放電中であるか否かを判定する（ステップＳ２０６）。
【００８０】
ＥＳＤ２２１−１は放電中であると判定した場合には（ステップＳ２０６：Ｙｅｓ）、制御装置２３０は、処理を終了する。
【００８１】
ＥＳＤ２２１−１は放電中でないと判定した場合には（ステップＳ２０６：Ｎｏ）、制御装置２３０は、ＥＳＤ２２１−１のＳＯＣは１００％未満であるか否かを判定する（ステップＳ２０７）。
【００８２】
ＥＳＤ２２１−１のＳＯＣは１００％未満でない、すなわち、ＥＳＤ２２１−１のＳＯＣは１００％であると判定した場合には（ステップＳ２０７：Ｎｏ）、制御装置２３０は、処理を終了する。
【００８３】
ＥＳＤ２２１−１のＳＯＣは１００％未満であると判定した場合には（ステップＳ２０７：Ｙｅｓ）、制御装置２３０は、ＤＥＲ２１１−２の余剰電力をＥＳＤ２２１−１に蓄積させる（ＥＳＤ２２１−１を充電する）（ステップＳ２０８）。
【００８４】
次に、制御装置２３０は、例えば、所定時間経過後に、ＥＳＤ２２１−１のＳＯＣは１００％であるか否かを判定する（ステップＳ２０９）。
【００８５】
ＥＳＤ２２１−１のＳＯＣは１００％でないと判定した場合には（ステップＳ２０９：Ｎｏ）、制御装置２３０は、ステップＳ２０８の処理に戻る。
【００８６】
ＥＳＤ２２１−１のＳＯＣは１００％であると判定した場合には（ステップＳ２０９：Ｙｅｓ）、制御装置２３０は、ＥＳＤ２２１−１の充電は完了したと判定し、ＤＥＲ２１１−２の余剰電力があるか（残っているか）否かを判定する（ステップＳ２１０）。
【００８７】
ＤＥＲ２１１−２の余剰電力が無いと判定した場合には（ステップＳ１１０：Ｎｏ）、制御装置２３０は、処理を終了する。
【００８８】
ＤＥＲ２１１−２の余剰電力があると判定した場合には（ステップＳ１１０：Ｙｅｓ）、制御装置２３０は、ステップＳ２０１の処理に戻る。
【００８９】
また、制御装置２３０は、ＥＳＤ２２１−２は放電中であると判定した場合には（ステップＳ１０１：Ｙｅｓ）、ステップＳ２０６の処理に進む。また、制御装置２３０は、ＥＳＤ２２１−２のＳＯＣは１００％未満でない、すなわち、ＥＳＤ２２１−２のＳＯＣは１００％であると判定した場合（ステップＳ１０２：Ｎｏ）には、ステップＳ２０６の処理に進む。
【００９０】
このように、制御装置２３０は、ＤＥＲ２１１−２の余剰電力をＥＳＤ２２１に蓄積させる場合、ＤＥＲ２１１−２に対応するＥＳＤ２２１−２を優先的に充電する。そして、制御装置１３０は、ＥＳＤ２２１−２が放電中である場合、ＥＳＤ２２１−２のＳＯＣが１００％である場合、ＥＳＤ２２１−２の充電が完了し、ＤＥＲ２１１−２にさらに余剰電力がある場合には、他のＥＳＤ２２１を充電する。
【００９１】
そのため、ＤＥＲ２１１−２の余剰電力を無駄なくＥＳＤ２２１に蓄積させることができる。
【００９２】
次に、ＬＯＡＤ２１２−１にＥＳＤ２２１から電力を供給する場合の動作について、図７に示すフローチャートを参照して説明する。
【００９３】
ＬＯＡＤ２１２−１にＥＳＤ２２２から電力を供給する場合、まず、制御装置２３０は、ＬＯＡＤ２１２−１に対応するＥＳＤ２２１−１は放電中であるか否かを判定する（ステップＳ３０１）。
【００９４】
ＥＳＤ２２１−１は放電中でないと判定した場合には（ステップＳ３０１：Ｎｏ）、制御装置２３０は、ＥＳＤ２２１−１のＳＯＣは所定の閾値、例えば、２０％より大きいか否かを判定する（ステップＳ３０２）。なお、上述したように、ＥＳＤ（蓄電池）２２１のＳＯＣが２０％以下になると、長寿命化のために、充電することが望ましい。所定の閾値としては、ＥＳＤ（蓄電池）２２１が充電した方が望ましい状態となる際のＳＯＣの値が設定される。
【００９５】
ＥＳＤ２２１−１のＳＯＣは２０％より大きいと判定した場合には（ステップＳ３０２：Ｙｅｓ）、制御装置２３０は、ＥＳＤ２２１−１からＬＯＡＤ２１２−１に電力を供給させる（ステップＳ３０３）。
【００９６】
次に、制御装置２３０は、例えば、所定時間経過後に、ＬＯＡＤ２１２−１に電力をさらに供給する必要があるか否かを判定する（ステップＳ３０４）。
【００９７】
ＬＯＡＤ２１２−１に電力をさらに供給する必要が無いと判定した場合には（ステップＳ３０４：Ｎｏ）、制御装置２３０は、処理を終了する。
【００９８】
ＬＯＡＤ２１２−１に電力をさらに供給する必要があると判定した場合には（ステップＳ３０４：Ｙｅｓ）、制御装置２３０は、ＥＳＤ２２１−１のＳＯＣは２０％であるか否かを判定する（ステップＳ３０５）。
【００９９】
ＥＳＤ２２１−１のＳＯＣは２０％でないと判定した場合には（ステップＳ３０５：Ｎｏ）、制御装置２３０は、ステップＳ３０３の処理に戻る。
【０１００】
ＥＳＤ２２１−１のＳＯＣは２０％である（２０％以下である）と判定した場合には（ステップＳ３０５：Ｙｅｓ）、制御装置２３０は、ＥＳＤ２２１−２は放電中であるか否かを判定する（ステップＳ３０６）。
【０１０１】
ＥＳＤ２２１−２は放電中であると判定した場合には（ステップＳ３０６：Ｙｅｓ）、ＥＳＤ２２１−２は他のＬＯＡＤ２１２に放電中であるため、制御装置２３０は、処理を終了する。
【０１０２】
ＥＳＤ２２１−２は放電中でないと判定した場合には（ステップＳ３０６：Ｎｏ）、制御装置２３０は、ＥＳＤ２２１−２のＳＯＣは所定の閾値、例えば、２０％より大きいか否かを判定する（ステップＳ３０７）。
【０１０３】
ＥＳＤ２２１−２のＳＯＣは２０％より大きくないと判定した場合には（ステップＳ３０７：Ｎｏ）、制御装置２３０は、処理を終了する。
【０１０４】
ＥＳＤ２２１−２のＳＯＣは２０％より大きいと判定した場合には（ステップＳ３０７：Ｙｅｓ）、制御装置２３０は、ＥＳＤ２２１−２からＬＯＡＤ２１２−１に電力を供給させる（ステップＳ３０８）。
【０１０５】
次に、制御装置２３０は、例えば、所定時間経過後に、ＬＯＡＤ２１２−１に電力をさらに供給する必要があるか否かを判定する（ステップＳ３０９）。
【０１０６】
ＬＯＡＤ２１２−１に電力をさらに供給する必要が無いと判定した場合には（ステップＳ３０９：Ｎｏ）、制御装置２３０は、処理を終了する。
【０１０７】
ＬＯＡＤ２１２−１に電力をさらに供給する必要があると判定した場合には（ステップＳ３０９：Ｙｅｓ）、制御装置２３０は、ＥＳＤ２２１−２のＳＯＣは２０％であるか否かを判定する（ステップＳ３１０）。
【０１０８】
ＥＳＤ２２１−２のＳＯＣは２０％でないと判定した場合には（ステップＳ３１０：Ｎｏ）、制御装置２３０は、ステップＳ３０８の処理に戻る。
【０１０９】
ＥＳＤ２２１−２のＳＯＣは２０％である（２０％以下である）と判定した場合には（ステップＳ３１０：Ｙｅｓ）、制御装置２３０は、ステップＳ３０１の処理に戻る。
【０１１０】
また、制御装置２３０は、ＥＳＤ２２１−１は放電中であると判定した場合（ステップＳ３０１：Ｙｅｓ）、および、ＥＳＤ２２１−１のＳＯＣは２０％より大きくないと判定した場合（ステップＳ３０２：Ｎｏ）には、ステップＳ３０６の処理に進む。
【０１１１】
このように、制御装置２３０は、ＬＯＡＤ２１２−１にＥＳＤ２２１から電力を供給する場合、ＬＯＡＤ２１２−１に対応するＥＳＤ２２１−１から優先的に電力を供給させる。そして、制御装置２３０は、ＥＳＤ２２１−１が放電中である場合、ＥＳＤ２２１−１のＳＯＣが２０％より大きくない場合、ＥＳＤ２２１−１からＬＯＡＤ２１２−１に電力を供給し、ＥＳＤ２２１−１のＳＯＣが２０％以下になった場合、他のＥＳＤ２２１から電力を供給させる。
【０１１２】
そのため、ＳＯＣが低いＥＳＤ２２１からＬＯＡＤ２１２−１に電力が供給されることが無くなり、ＬＯＡＤ２１２−１に電力を安定して供給することができる。また、ＳＯＣが低いＥＳＤ２２１からの電力の供給が継続されることがなくなるので、ＥＳＤ２２１の長寿命化を図ることができる。
【０１１３】
次に、ＬＯＡＤ２１２−２にＥＳＤ２２１から電力を供給する場合の動作について、図８に示すフローチャートを参照して説明する。
【０１１４】
ＬＯＡＤ２１２−２にＥＳＤ２２１から電力を供給する場合、まず、制御装置２３０は、ＬＯＡＤ２１２−２に対応するＥＳＤ２２１−２は放電中であるか否かを判定する（ステップＳ４０１）。
【０１１５】
ＥＳＤ２２１−２は放電中でないと判定した場合には（ステップＳ４０１：Ｎｏ）、制御装置２３０は、ＥＳＤ２２１−２のＳＯＣは所定の閾値、例えば、２０％より大きいか否かを判定する（ステップＳ４０２）。
【０１１６】
ＥＳＤ２２１−２のＳＯＣは２０％より大きいと判定した場合には（ステップＳ４０２：Ｙｅｓ）、制御装置２３０は、ＥＳＤ２２１−２からＬＯＡＤ２１２−２に電力を供給させる（ステップＳ４０３）。
【０１１７】
次に、制御装置２３０は、例えば、所定時間経過後に、ＬＯＡＤ２１２−２に電力をさらに供給する必要があるか否かを判定する（ステップＳ４０４）。
【０１１８】
ＬＯＡＤ２１２−２に電力をさらに供給する必要が無いと判定した場合には（ステップＳ４０４：Ｎｏ）、制御装置２３０は、処理を終了する。
【０１１９】
ＬＯＡＤ２１２−２に電力をさらに供給する必要があると判定した場合には（ステップＳ４０４：Ｙｅｓ）、制御装置２３０は、ＥＳＤ２２１−２のＳＯＣは２０％であるか否かを判定する（ステップＳ３０５）。
【０１２０】
ＥＳＤ２２１−２のＳＯＣは２０％でないと判定した場合には（ステップＳ４０５：Ｎｏ）、制御装置２３０は、ステップＳ４０３の処理に戻る。
【０１２１】
ＥＳＤ２２１−２のＳＯＣは２０％である（２０％以下である）と判定した場合には（ステップＳ４０５：Ｙｅｓ）、制御装置２３０は、ＥＳＤ２２１−１は放電中であるか否かを判定する（ステップＳ４０６）。
【０１２２】
ＥＳＤ２２１−１は放電中であると判定した場合には（ステップＳ４０６：Ｙｅｓ）、ＥＳＤ２２１−１は他のＬＯＡＤ２１２に放電中であるため、制御装置２３０は、処理を終了する。
【０１２３】
ＥＳＤ２２１−１は放電中でないと判定した場合には（ステップＳ４０６：Ｎｏ）、制御装置２３０は、ＥＳＤ２２１−１のＳＯＣは所定の閾値、例えば、２０％より大きいか否かを判定する（ステップＳ４０７）。
【０１２４】
ＥＳＤ２２１−１のＳＯＣは２０％より大きくないと判定した場合には（ステップＳ４０７：Ｎｏ）、制御装置２３０は、処理を終了する。
【０１２５】
ＥＳＤ２２１−１のＳＯＣは２０％より大きいと判定した場合には（ステップＳ４０７：Ｙｅｓ）、制御装置２３０は、ＥＳＤ２２１−１からＬＯＡＤ２１２−２に電力を供給させる（ステップＳ４０８）。
【０１２６】
次に、制御装置２３０は、例えば、所定時間経過後に、ＬＯＡＤ２１２−２に電力をさらに供給する必要があるか否かを判定する（ステップＳ４０９）。
【０１２７】
ＬＯＡＤ２１２−２に電力をさらに供給する必要が無いと判定した場合には（ステップＳ４０９：Ｎｏ）、制御装置２３０は、処理を終了する。
【０１２８】
ＬＯＡＤ２１２−２に電力をさらに供給する必要があると判定した場合には（ステップＳ４０９：Ｙｅｓ）、制御装置２３０は、ＥＳＤ２２１−１のＳＯＣは２０％であるか否かを判定する（ステップＳ３１０）。
【０１２９】
ＥＳＤ２２１−１のＳＯＣは２０％でないと判定した場合には（ステップＳ４１０：Ｎｏ）、制御装置２３０は、ステップＳ４０８の処理に戻る。
【０１３０】
ＥＳＤ２２１−１のＳＯＣは２０％である（２０％以下である）と判定した場合には（ステップＳ４１０：Ｙｅｓ）、制御装置２３０は、ステップＳ４０１の処理に戻る。
【０１３１】
また、制御装置２３０は、ＥＳＤ２２１−２は放電中であると判定した場合（ステップＳ４０１：Ｙｅｓ）、および、ＥＳＤ２２１−２のＳＯＣは２０％より大きくないと判定した場合（ステップＳ４０２：Ｎｏ）には、ステップＳ４０６の処理に進む。
【０１３２】
このように、制御装置２３０は、ＬＯＡＤ２１２−２にＥＳＤ２２１から電力を供給する場合、ＬＯＡＤ２１２−２に対応するＥＳＤ２２１−２から優先的に電力を供給させる。そして、制御装置２３０は、ＥＳＤ２２１−２が放電中である場合、ＥＳＤ２２１−２のＳＯＣが２０％より大きくない場合、ＥＳＤ２２１−２からＬＯＡＤ２１２−２に電力を供給し、ＥＳＤ２２１−２のＳＯＣが２０％以下になった場合、他のＥＳＤ２２１から電力を供給させる。
【０１３３】
そのため、ＳＯＣが低いＥＳＤ２２１からＬＯＡＤ２１２−２に電力が供給されることが無くなり、ＬＯＡＤ２１２−２に電力を安定して供給することができる。また、ＳＯＣが低いＥＳＤ２２１からの電力の供給が継続されることがなくなるので、ＥＳＤ２２１の長寿命化を図ることができる。
【０１３４】
このように、本実施形態のマイクログリッドシステム２００は、ＥＳＤ２２１−１，２２１−２の状態に応じて、ＤＥＲ２１１から出力された電力の蓄積先のＥＳＤ２２１、および、ＬＯＡＤ２１２への電力の供給元のＥＳＤ２２１を決定する制御装置２３０を有する。
【０１３５】
制御装置２３０は、ＤＥＲ２１１の余剰電力をＥＳＤ２２１に蓄積させる場合、そのＤＥＲ２１１に対応するＥＳＤ２２１に電力を蓄積させ、そのＥＳＤ２２１の充電が完了すると、他のＥＳＤ２２１に電力を蓄積させる。
【０１３６】
また、制御装置２３０は、ＬＯＡＤ２１２に電力を供給する場合、そのＬＯＡＤ２１２に対応するＥＳＤ２２１に電力を供給させ、そのＥＳＤ２２１のＳＯＣが所定の閾値以下になると、他のＥＳＤ２２１からＬＯＡＤ２１２に電力を供給させる。
【０１３７】
そのため、ＤＥＲ２１１に対応するＥＳＤ２２１の充電が完了すると、他のＥＳＤ２２１に電力が蓄積されるので、電力の無駄の削減を図ることができる。
【０１３８】
また、ＬＯＡＤ２１２に電力を供給するＥＳＤ２２１のＳＯＣが小さくなると、他のＥＳＤ２２１からＬＯＡＤ２１２に電力が供給されるので、ＳＯＣが低いＥＳＤ２２１からＬＯＡＤ２１２に電力が供給されることが無くなり、ＬＯＡＤ２１２に電力を安定して供給することができる。また、ＳＯＣが低いＥＳＤ２２１からの電力の供給が継続されることがなくなるので、ＥＳＤ２２１の長寿命化を図ることができる。
【０１３９】
また、複数のＥＳＤ２２１を設けることで、蓄積容量の大きな１つのＥＳＤを設ける場合と比較して、単位蓄積容量当たりのコストを低減し、コストの増加を抑制することができる。
【０１４０】
なお、本実施形態においては、マイクログリッドシステム２００は、２つのサブマイクログリッドシステム２１０を有し、共有部２２０は、２つのＥＳＤ２２１を有する例を用いて説明したが、これに限られるものではない。マイクログリッドシステム２００は、３以上のサブマイクログリッドシステム２１０を有し、共有部２２０は、サブマイクログリッドシステム２１０と同数のＥＳＤ２２１を有していてもよい。
【０１４１】
（第３の実施形態）
図９は、本発明の第３の実施形態のマイクログリッドシステム３００の要部構成を示す図である。なお、図９において、図４と同様の構成については同じ符号を付し、説明を省略する。
【０１４２】
図９に示すマイクログリッドシステム３００は、ｎ個のサブマイクログリッドシステム２１０（２１０−１〜２１０−ｎ）と、各サブマイクログリッドシステム２１０と接続され、ｍ個のＥＳＤ２２１（２２１−１〜２２１−ｍ）を含む共有部２２０と、制御装置３１０とを有する。なお、ｎ，ｍはそれぞれ、２以上の整数である。
【０１４３】
制御装置３１０は、ＤＥＲ２１１−１〜ＤＥＲ２１１−ｎ、および、ＥＳＤ２２１−１〜２２１−ｍを制御する。
【０１４４】
次に、マイクログリッドシステム３００の動作について説明する。
【０１４５】
まず、ＤＥＲ２１１−１〜ＤＥＲ２１１−ｎのうち、いずれかのＤＥＲ２１１（ＤＥＲ２１１−ｘ）の余剰電力をＥＳＤ２２１に蓄積する場合の動作について、図１０に示すフローチャートを参照して説明する。
【０１４６】
制御装置３１０は、システム内の電力の需給状態を監視しており、ＤＥＲ２１１−ｘの出力に余剰電力があると判定すると、ＤＥＲ２１１−ｘの余剰電力をＥＳＤ２２１に蓄積させる。
【０１４７】
まず、制御装置３１０は、ＥＳＤ２２１−１〜２２１−ｍのうち、充放電しておらず、かつ、ＳＯＣが最も小さいＥＳＤ２２１を選択する（ステップＳ５０１）。
【０１４８】
次に、制御装置３１０は、ＤＥＲ２１１−ｘの余剰電力を選択したＥＳＤ２２１に蓄積させる（選択したＥＳＤ２２１を充電する）（ステップＳ５０２）。
【０１４９】
次に、制御装置３１０は、例えば、所定時間経過後に、選択したＥＳＤ２２１のＳＯＣは１００％であるか否かを判定する（ステップＳ５０３）。
【０１５０】
選択したＥＳＤ２２１のＳＯＣは１００％でないと判定した場合には（ステップＳ５０３：Ｎｏ）、制御装置３１０は、ステップＳ５０２の処理に戻る。
【０１５１】
選択したＥＳＤ２２１のＳＯＣは１００％であると判定した場合には（ステップＳ５０３：Ｙｅｓ）、制御装置３１０は、ＤＥＲ２１１−ｘの余剰電力があるか（残っているか）否かを判定する（ステップＳ５０４）。
【０１５２】
ＤＥＲ２１１−ｘの余剰電力が無いと判定した場合には（ステップＳ５０４：Ｎｏ）、制御装置３１０は、処理を終了する。
【０１５３】
ＤＥＲ２１１−ｘの余剰電力があると判定した場合には（ステップＳ５０４：Ｙｅｓ）、制御装置３１０は、ステップＳ５０１の処理に戻る。
【０１５４】
このように、制御装置３１０は、ＤＥＲ２１１の余剰電力をＥＳＤ２２１に蓄積させる場合、余剰電力がなくなるまで、充放電しておらず、ＳＯＣが小さいＥＳＤ２１１から順に充電する。そのため、ＤＥＲ２１１の余剰電力を無駄なくＥＳＤ２２１に蓄積させることができる。
【０１５５】
次に、ＬＯＡＤ２１２−１〜２１２−ｍのうち、いずれかのＬＯＡＤ２１２（ＬＯＡＤ２１２−ｙ）にＥＳＤ２２１から電力を供給する場合の動作について、図１１に示すフローチャートを参照して説明する。
【０１５６】
ＬＯＡＤ２１２−ｙにＥＳＤ２２１から電力を供給する場合、まず、制御装置３１０は、ＥＳＤ２２１−１〜２２１−ｍのうち、充放電しておらず、かつ、ＳＯＣが最も大きいＥＳＤ２２１を選択する（ステップＳ６０１）。
【０１５７】
次に、制御装置３１０は、選択したＥＳＤ２２１からＬＯＡＤ２１２−ｙに電力を供給させる（ステップＳ６０２）。
【０１５８】
次に、制御装置３１０は、例えば、所定時間経過後に、選択したＥＳＤ２２１のＳＯＣは２０％以下であるか否かを判定する（ステップＳ６０３）。
【０１５９】
選択したＥＳＤ２２１のＳＯＣは２０％以下でないと判定した場合には（ステップＳ６０３：Ｎｏ）、制御装置３１０は、ステップＳ６０２の処理に戻る。
【０１６０】
選択したＥＳＤ２２１のＳＯＣは２０％以下であると判定した場合には（ステップＳ６０３：Ｙｅｓ）、制御装置３１０は、ＬＯＡＤ２１２−ｙに電力をさらに供給する必要があるか否かを判定する（ステップＳ６０４）。
【０１６１】
ＬＯＡＤ２１２−ｙに電力をさらに供給する必要が無いと判定した場合には（ステップＳ６０４：Ｎｏ）、制御装置３１０は、処理を終了する。
【０１６２】
ＬＯＡＤ２１２−ｙに電力をさらに供給する必要があると判定した場合には（ステップＳ６０４：Ｙｅｓ）、制御装置３１０は、ステップＳ６０１の処理に戻る。
【０１６３】
このように、制御装置３１０は、ＬＯＡＤ２１２にＥＳＤ２２１から電力を供給する場合、充放電しておらず、ＳＯＣが大きいＥＳＤ２１１から順に、各ＥＳＤ２２１のＳＯＣが所定の閾値以下となるまで、電力を供給させる。
【０１６４】
そのため、ＳＯＣが低いＥＳＤ２２１からＬＯＡＤ２１２に電力が供給されることが無くなり、ＬＯＡＤ２１２に電力を安定して供給することができる。また、ＳＯＣが低いＥＳＤ２２１からの電力の供給が継続されることがなくなるので、ＥＳＤ２２１の長寿命化を図ることができる。
【０１６５】
このように、本実施形態のマイクログリッドシステム３００は、ＥＳＤ２２１−１〜２２１−ｍの状態に応じて、ＤＥＲ２１１−１〜２１１−ｎから出力された電力の蓄積先のＥＳＤ２２１、および、ＬＯＡＤ２１２への電力の供給元のＥＳＤ２２１を決定する制御装置３１０を有する。
【０１６６】
制御装置３１０は、ＤＥＲ２１１の余剰電力をＥＳＤ２２１に蓄積させる場合、ＳＯＣが小さいＥＳＤ２２１から順に電力を蓄積させ、そのＥＳＤ２２１の充電が完了すると、他のＥＳＤ２２１に電力を蓄積させる。
【０１６７】
また、制御装置２３０は、ＬＯＡＤ２１２に電力を供給する場合、ＳＯＣが大きいＥＳＤ２２１から順に、ＳＯＣが所定の閾値以下となるまで、電力を供給させる。
【０１６８】
そのため、ＤＥＲ２１１に対応するＥＳＤ２２１の充電が完了すると、他のＥＳＤ２２１に電力が蓄積されるので、電力の無駄の削減を図ることができる。
【０１６９】
また、ＬＯＡＤ２１２に電力を供給するＥＳＤ２２１のＳＯＣが小さくなると、他のＥＳＤ２２１からＬＯＡＤ２１２に電力が供給されるので、ＳＯＣが低いＥＳＤ２２１からＬＯＡＤ２１２に電力が供給されることが無くなり、ＬＯＡＤ２１２に電力を安定して供給することができる。また、ＳＯＣが低いＥＳＤ２２１からの電力の供給が継続されることがなくなるので、ＥＳＤ２２１の長寿命化を図ることができる。
【０１７０】
また、複数のＥＳＤ２２１を設けることで、蓄積容量の大きな１つのＥＳＤを設ける場合と比較して、単位蓄積容量当たりのコストを低減し、コストの増加を抑制することができる。
【０１７１】
本発明のマイクログリッドシステムにて行われる方法は、コンピュータに実行させるためのプログラムに適用してもよい。また、そのプログラムを記憶媒体に格納することも可能であり、ネットワークを介して外部に提供することも可能である。
【０１７２】
上記の実施形態の一部または全部は、以下の付記のようにも記載されうるが、以下には限られない。
【０１７３】
（付記１）
電力を出力する発電装置と、電力を消費する需要家とを含む複数のサブマイクログリッドと、
前記複数のサブマイクログリッドのそれぞれと接続され、電力を蓄積する複数のエネルギー蓄積装置を備える共有部と、
前記発電装置から出力された電力を前記エネルギー蓄積装置に蓄積させる場合、前記複数のエネルギー蓄積装置それぞれの状態に応じて、前記発電装置から出力された電力の蓄積先のエネルギー蓄積装置を決定し、前記需要家に電力を供給する場合、前記複数のエネルギー蓄積装置それぞれの状態に応じて、前記需要家に電力を供給する供給元のエネルギー蓄積装置を決定する制御装置と、を有することを特徴とするマイクログリッドシステム。
【０１７４】
（付記２）
付記１記載のマイクログリッドシステムにおいて、
前記エネルギー蓄積装置は、前記複数のサブマイクログリッドそれぞれに対応して設けられ、
前記制御装置は、前記発電装置の電力を蓄積する場合、該発電装置を含む前記サブマイクログリッドに対応する前記エネルギー蓄積装置に前記発電装置の電力を蓄積させ、前記エネルギー蓄積装置の充電が完了すると、他のエネルギー蓄積装置に前記発電装置の電力を蓄積させることを特徴とするマイクログリッドシステム。
【０１７５】
（付記３）
付記２記載のマイクログリッドシステムにおいて、
前記制御装置は、前記発電装置の電力を蓄積する場合、該発電装置を含む前記サブマイクログリッドに対応する前記エネルギー蓄積装置が放電中でなければ、該エネルギー蓄積装置に前記発電装置の電力を蓄積させ、前記エネルギー蓄積装置が放電中であれば、他のエネルギー蓄積装置に前記発電装置の電力を蓄積させることを特徴とするマイクログリッドシステム。
【０１７６】
（付記４）
付記２または３記載のマイクログリッドシステムにおいて、
前記制御装置は、前記需要家に電力を供給する場合、該需要家を含む前記サブマイクログリッドに対応する前記エネルギー蓄積装置から前記需要家に電力を供給させ、前記エネルギー蓄積装置の充電レベルが所定の閾値以下になると、他のエネルギー蓄積装置から前記需要家に電力を供給させることを特徴とするマイクログリッドシステム。
【０１７７】
（付記５）
付記４記載のマイクログリッドシステムにおいて、
前記制御装置は、前記需要家に電力を供給する場合、該需要家を含む前記サブマイクログリッドに対応する前記エネルギー蓄積装置が放電中でなければ、該エネルギー蓄積装置から前記需要家に電力を供給させ、前記エネルギー蓄積装置が放電中であれば、他のエネルギー蓄積装置から前記需要家に電力を供給させることを特徴とするマイクログリッドシステム。
【０１７８】
（付記６）
付記１記載のマイクログリッドシステムにおいて、
前記制御装置は、前記発電装置から出力された電力を前記エネルギー蓄積装置に蓄積させる場合、前記複数のエネルギー蓄積装置のうち、充放電しておらず、かつ、充電レベルが小さいエネルギー蓄積装置から順に、前記発電装置の電力を蓄積させることを特徴とするマイクログリッドシステム。
【０１７９】
（付記７）
付記６記載のマイクログリッドシステムにおいて、
前記制御装置は、前記需要家に電力を供給する場合、前記複数のエネルギー蓄積装置のうち、充放電しておらず、かつ、充電レベルが大きいエネルギー蓄積装置から順に、前記需要家に電力を供給させることを特徴とするマイクログリッドシステム。
【０１８０】
（付記８）
電力を出力する発電装置を有するマイクログリッドシステムの制御方法であって、
前記マイクログリッドシステムには、電力を出力する発電装置と、電力を消費する需要家とを含む複数のサブマイクログリッドと、前記複数のサブマイクログリッドのそれぞれと接続され、電力を蓄積する複数のエネルギー蓄積装置を備える共有部とが設けられ、
前記発電装置から出力された電力を蓄積する場合、前記複数のエネルギー蓄積装置それぞれの状態に応じて、前記発電装置から出力された電力の蓄積先のエネルギー蓄積装置を決定し、
前記需要家に電力を供給する場合、前記複数のエネルギー蓄積装置それぞれの状態に応じて、前記需要家に電力を供給する供給元のエネルギー蓄積装置を決定することを特徴とする制御方法。
【０１８１】
（付記９）
付記８記載の制御方法において、
前記複数のサブマイクログリッドそれぞれに対応して、前記エネルギー蓄積装置が設けられ、
前記発電装置の電力を蓄積する場合、該発電装置を含む前記サブマイクログリッドに対応する前記エネルギー蓄積装置に前記発電装置の電力を蓄積させ、前記エネルギー蓄積装置の充電が完了すると、他のエネルギー蓄積装置に前記発電装置の電力を蓄積させることを特徴とする制御方法。
【０１８２】
（付記１０）
付記９記載の制御方法において、
前記発電装置の電力を蓄積する場合、該発電装置を含む前記サブマイクログリッドに対応する前記エネルギー蓄積装置が放電中でなければ、該エネルギー蓄積装置に前記発電装置の電力を蓄積させ、前記エネルギー蓄積装置が放電中であれば、他のエネルギー蓄積装置に前記発電装置の電力を蓄積させることを特徴とする制御方法。
【０１８３】
（付記１１）
付記９または１０記載の制御方法において、
前記需要家に電力を供給する場合、該需要家を含む前記サブマイクログリッドに対応する前記エネルギー蓄積装置から前記需要家に電力を供給させ、前記エネルギー蓄積装置の充電レベルが所定の閾値以下になると、他のエネルギー蓄積装置から前記需要家に電力を供給させることを特徴とする制御方法。
【０１８４】
（付記１２）
付記１１記載の制御方法において、
前記需要家に電力を供給する場合、該需要家を含む前記サブマイクログリッドに対応する前記エネルギー蓄積装置が放電中でなければ、該エネルギー蓄積装置から前記需要家に電力を供給させ、前記エネルギー蓄積装置が放電中であれば、他のエネルギー蓄積装置から前記需要家に電力を供給させることを特徴とする制御方法。
【０１８５】
（付記１３）
付記８記載の制御方法において、
前記発電装置から出力された電力を前記エネルギー蓄積装置に蓄積させる場合、前記複数のエネルギー蓄積装置のうち、充放電しておらず、かつ、充電レベルが小さいエネルギー蓄積装置から順に、前記発電装置の電力を蓄積させることを特徴とする制御方法。
【０１８６】
（付記１４）
付記１３記載の制御方法において、
前記需要家に電力を供給する場合、前記複数のエネルギー蓄積装置のうち、充放電しておらず、かつ、充電レベルが大きいエネルギー蓄積装置から順に、前記需要家に電力を供給させることを特徴とする制御方法。
【０１８７】
以上、実施形態を参照して本願発明を説明したが、本願発明は、上記実施形態に限定されたものではない。本願発明の構成や詳細には、本願発明のスコープ内で当業者が理解し得る様々な変更を行うことができる。
【０１８８】
この出願は、２０１４年２月２６日に出願された日本出願特願２０１４−０３５０６１号公報を基礎とする優先権を主張し、その開示の全てをここに取り込む。
【符号の説明】
【０１８９】
１００，２００    マイクログリッドシステム
１１０，２１０    サブマイクログリッド
１１１    発電装置
１１２    需要家
１２０，２２０    共有部
１２１    エネルギー蓄積装置
１３０，２３０，３１０    制御装置
２１１    ＤＥＲ
２１２    ＬＯＡＤ
２２１    ＥＳＤ
【図１】
2015129301.tif 000003
【図２】
2015129301.tif 000004
【図３】
2015129301.tif 000005
【図４】
2015129301.tif 000006
【図５】
2015129301.tif 000007
【図６】
2015129301.tif 000008
【図７】
2015129301.tif 000009
【図８】
2015129301.tif 000010
【図９】
2015129301.tif 000011
【図１０】
2015129301.tif 000012
【図１１】
2015129301.tif 000013
【国際調査報告】
2015129301.tif 000014
2015129301.tif 000015
2015129301.tif 000016
2015129301.tif 000017